(57)【要約】【課題】ロール紙ホルダの着脱容易性と、ロール紙ホルダの装着状態の維持と、の双方に考慮された記録装置を提供する。【解決手段】記録装置は、媒体に記録を行う記録手段を備えた装置本体と、媒体がロール状に巻かれたロールを回転可能に支持する、前記装置本体に対して着脱可能なロールホルダと、を備え、前記ロールホルダには、前記装置本体の係合部に係合するフックと、前記フックに対し離間して位置し、前記装置本体の背面に形成された開口に対し遊びをもって挿入される突起と、が設けられ、前記係合部を支点にして前記ロールホルダが前記装置本体の背面から離れる方向に回動する際、前記突起が前記開口の内側と係合する。【選択図】図３
2015199279.tif 000002
【特許請求の範囲】
【請求項１】
媒体に記録を行う記録手段を備えた装置本体と、
媒体がロール状に巻かれたロールを回転可能に支持する、前記装置本体に対して着脱可能なロールホルダと、を備え、
前記ロールホルダには、前記装置本体の係合部に係合するフックと、
前記フックに対し離間して位置し、前記装置本体の背面に形成された開口に対し遊びをもって挿入される突起と、が設けられ、
前記係合部を支点にして前記ロールホルダが前記装置本体の背面から離れる方向に回動する際、前記突起が前記開口の内側と係合する、
ことを特徴とする記録装置。
【請求項２】
請求項１に記載の記録装置において、前記ロールホルダを前記装置本体に取り付けた状態における前記開口の下縁と前記突起との間隔は、前記開口の上縁と前記突起との間隔より小さい、
ことを特徴とする記録装置。
【請求項３】
請求項２に記載の記録装置において、前記フックを前記係合部に対しずらすことにより、前記開口の下縁と前記突起との間隔が、前記開口の上縁と前記突起との間隔より大きくなる、
ことを特徴とする記録装置。
【請求項４】
請求項１から請求項３のいずれか一項に記載の記録装置において、前記突起の先端は斜面状に形成されている、
ことを特徴とする記録装置。
【請求項５】
請求項１から請求項４のいずれか一項に記載の記録装置において、前記フックは前記ロールホルダにおいて前記ロールの回転軸線方向に所定の間隔を空けて少なくとも２つ設けられ、
前記突起は、前記回転軸線方向において前記２つのフックの間に配置されている、
ことを特徴とする記録装置。
【請求項６】
請求項１から請求項５のいずれか一項に記載の記録装置において、前記ロールホルダは、前記フックを介し前記係合部に自重で吊り下がる、
ことを特徴とする記録装置。
【請求項７】
請求項１から請求項６のいずれか一項に記載の記録装置において、前記ロールホルダを前記装置本体に取り付けた状態において、前記装置本体の載置面と前記ロールホルダの底部との間に所定のクリアランスが形成される、
ことを特徴とする記録装置。
【請求項８】
請求項１から請求項７のいずれか一項に記載の記録装置において、前記ロールホルダの底部には凸部が形成されている、
ことを特徴とする記録装置。
【発明の詳細な説明】
【技術分野】
【０００１】
本発明は、ファクシミリやプリンターに代表される記録装置に関し、特に媒体がロール状に巻かれたロールを回転可能に支持するロールホルダを備えた記録装置に関する。
【背景技術】
【０００２】
ファクシミリやプリンターに代表される記録装置においては、単票紙に加えて、所謂ロール紙を利用可能に構成されたものがある。ロール紙を利用可能な記録装置は、例えばロール紙が巻かれて成るロールを保持するロール紙ホルダを備えており、このロール紙ホルダにロールをセットし、ロールからロール紙を繰り出して、記録が行われる構成となっている（例えば特許文献１）。
【先行技術文献】
【特許文献】
【０００３】
【特許文献１】特許第３９２５６５２号公報
【発明の概要】
【発明が解決しようとする課題】
【０００４】
特許文献１記載のロール紙ホルダは係止爪を備え、この係止爪を記録装置本体に形成された溝に引っ掛けることで装着する様に構成されている。  
ところでプリンターには、据え置き型のほか、ユーザーが持ち運ぶことを想定したモバイルタイプのものがある。この様なモバイルタイプのプリンターの場合、ユーザーはプリンターを持ち上げたり、置いたりといった動作を頻繁に行う。その様な動作のうち、プリンターを載置面上で傾ける動作に着目すると、上記特許文献１のように単に係止爪によってロール紙ホルダをプリンター本体に引っ掛けただけでは、ロール紙ホルダ側にプリンターを傾けたときにロール紙ホルダが容易にプリンター本体から外れてしまう。
【０００５】
一方、モバイルタイプのプリンターは、持ち運びの都合上ロール紙ホルダを頻繁に着脱させることが想定される為、上述のような問題、即ちロール紙ホルダが容易にプリンター本体から外れてしまう問題に鑑み、ねじやスナップフィットなどの固定手段を利用してロール紙ホルダを装着してしまうと、取り外しに手間を要してしまう。
【０００６】
そこで本発明はこの様な状況に鑑みなされたものであり、その目的は、ロール紙ホルダの着脱容易性と、ロール紙ホルダの装着状態の維持と、の双方に考慮された記録装置を提供することにある。
【課題を解決するための手段】
【０００７】
上記課題を解決する為の、本発明の第１の態様に係る記録装置は、媒体に記録を行う記録手段を備えた装置本体と、媒体がロール状に巻かれたロールを回転可能に支持する、前記装置本体に対して着脱可能なロールホルダと、を備え、前記ロールホルダには、前記装置本体の係合部に係合するフックと、前記フックに対し離間して位置し、前記装置本体の背面に形成された開口に対し遊びをもって挿入される突起と、が設けられ、前記係合部を支点にして前記ロールホルダが前記装置本体の背面から離れる方向に回動する際、前記突起が前記開口の内側と係合することを特徴とする。
【０００８】
本態様によれば、前記係合部を支点にして前記ロールホルダが前記装置本体の背面から離れる方向に回動する際、前記ロールホルダに設けられた突起が前記装置本体の背面に設けられた開口の内側と係合するので、前記突起が前記開口から容易に抜けることがなく、前記ロールホルダの装着状態が維持される。即ち前記フックを支点にして前記ロールホルダが前記装置本体の背面から離れる方向に回動する際の、前記突起の回動軌跡が前記開口と干渉することを利用して、前記ロールホルダの装着状態を維持する。
【０００９】
また前記突起は前記開口に対し遊びをもって挿入されるので、前記ロールホルダを前記装置本体に装着する際には、容易に装着することができる。以上によりロールホルダの着脱容易性と、ロールホルダの装着状態の維持と、の双方に考慮された記録装置を得ることができる。
【００１０】
本発明の第２の態様は、第１の態様において、前記ロールホルダを前記装置本体に取り付けた状態における前記開口の下縁と前記突起との間隔は、前記開口の上縁と前記突起との間隔より小さいことを特徴とする。
【００１１】
本態様によれば、前記ロールホルダを前記装置本体に取り付けた状態における前記開口の下縁と前記突起との間隔は、前記開口の上縁と前記突起との間隔より小さいので、前記フックを支点にして前記ロールホルダが前記装置本体の背面から離れる方向に回動する際、前記突起が前記開口の内側（下縁）に迅速に接することができ、前記ロールホルダの装着状態がより確実に維持される。
【００１２】
本発明の第３の態様は、第２の態様において、前記フックを前記係合部に対しずらすことにより、前記開口の下縁と前記突起との間隔が、前記開口の上縁と前記突起との間隔より大きくなることを特徴とする。
【００１３】
本態様によれば、前記フックを前記係合部に対しずらすことにより、前記開口の下縁と前記突起との間隔が、前記開口の上縁と前記突起との間隔より大きくなる。従って前記ロールホルダを、前記係合部を支点に回動させて取り外す際に、前記突起が前記開口の下縁に引っ掛からず、容易に前記ロールホルダを取り外すことができる。
【００１４】
本発明の第４の態様は、第１から第３の態様のいずれかにおいて、前記突起の先端は斜面状に形成されていることを特徴とする。  
本態様によれば、前記突起の先端は斜面状に形成されているので、前記突起を前記開口に挿入する際の引っ掛かりを抑制して作業性良好に前記ロールホルダを前記装置本体に取り付けることができる。
【００１５】
本発明の第５の態様は、第１から第４の態様のいずれかにおいて、前記フックは前記ロールホルダにおいて前記ロールの回転軸線方向に所定の間隔を空けて少なくとも２つ設けられ、前記突起は、前記回転軸線方向において前記２つのフックの間に配置されていることを特徴とする。
【００１６】
本態様によれば、前記フックは前記ロールホルダにおいて前記ロールの回転軸線方向に所定の間隔を空けて少なくとも２つ設けられ、前記突起は、前記回転軸線方向において前記２つのフックの間に配置されているので、前記ロールホルダを前記装置本体に取り付けた際の安定性が向上する。
【００１７】
本発明の第６の態様は、第１から第５の態様のいずれかにおいて、前記ロールホルダは、前記フックを介し前記係合部に自重で吊り下がることを特徴とする。  
本態様によれば、前記ロールホルダは、前記フックを介し前記係合部に自重で吊り下がるので、前記ロールホルダを構造簡単にして取り付けることができ、また、容易に取り外すことができる。
【００１８】
本発明の第７の態様は、第１から第６の態様のいずれかにおいて、前記ロールホルダを前記装置本体に取り付けた状態において、前記装置本体の載置面と前記ロールホルダの底部との間に所定のクリアランスが形成されることを特徴とする。
【００１９】
本態様によれば、前記ロールホルダを前記装置本体に取り付けた状態において、前記装置本体の載置面と前記ロールホルダの底部との間に所定のクリアランスが形成されるので、前記装置本体を前記ロールホルダ側に傾けた際に、前記クリアランスによって前記ロールホルダが前記載置面に即座に接することがなく、前記ロールホルダの装着状態を良好に維持できる。
【００２０】
本発明の第８の態様は、第１から第７の態様のいずれかにおいて、前記ロールホルダの底部には凸部が形成されていることを特徴とする。  
本態様によれば、前記ロールホルダの底部には凸部が形成されている為、前記ロールホルダを取り外して載置面に載置した際の前記ロールホルダの転がりを抑制し、前記ロールホルダの取り扱い性を向上させることができる。
【図面の簡単な説明】
【００２１】
【図１】本発明に係るプリンターの外観斜視図。
【図２】本発明に係るプリンターにおける媒体搬送経路を示す側断面図。
【図３】本発明に係るロールホルダの外観斜視図。
【図４】ロールホルダにおいてカバーを開いた状態の斜視図。
【図５】ロールホルダにおいてカバーを開き、ロールガイドをロールホルダから取り外した状態を示す斜視図。
【図６】ロールホルダの側断面図。
【図７】装置本体とロールホルダとの分解斜視図。
【図８】装置本体におけるロールホルダの取付部の拡大斜視図。
【図９】装置本体にロールホルダを取り付けた状態におけるフックが設けられた部分の断面図。
【図１０】装置本体にロールホルダを取り付けた状態における突起が設けられた部分の断面図。
【図１１】開口と突起との関係を示す断面図。
【図１２】ロールホルダを取り付けた装置本体を傾けた状態におけるフックが設けられた部分の断面図。
【図１３】ロールホルダを取り付けた装置本体を傾けた状態における突起が設けられた部分の断面図。
【図１４】突起の先端に斜面を設けた変更例を示す図。
【発明を実施するための形態】
【００２２】
以下、本発明の実施の形態を図面に基づいて説明する。尚、各実施例において同一の構成については、同一の符号を付し、最初の実施例においてのみ説明し、以後の実施例においてはその構成の説明を省略する。
【００２３】
図１は本発明に係るプリンターの外観斜視図であり、図２は本発明に係るプリンターにおける媒体搬送経路を示す側断面図であり、図３は本発明に係るロールホルダの外観斜視図であり、図４はロールホルダにおいてカバーを開いた状態の斜視図であり、図５はロールホルダにおいてカバーを開き、ロールガイドをロールホルダから取り外した状態を示す斜視図である。
【００２４】
図６はロールホルダの側断面図であり、図７は装置本体とロールホルダとの分解斜視図であり、図８は装置本体におけるロールホルダの取付部の拡大斜視図であり、図９は装置本体にロールホルダを取り付けた状態におけるフックが設けられた部分の断面図であり、図１０は装置本体にロールホルダを取り付けた状態における突起が設けられた部分の断面図である。
【００２５】
図１１は開口と突起との関係を示す断面図であり、図１２はロールホルダを取り付けた装置本体を傾けた状態におけるフックが設けられた部分の断面図であり、図１３はロールホルダを取り付けた装置本体を傾けた状態における突起が設けられた部分の断面図であり、図１４は突起の先端に斜面を設けた変更例を示す図である。
【００２６】
また、各図において示すＸ−Ｙ−Ｚ座標系はＸ方向が記録ヘッドの走査方向及びロール紙を巻きつけたロールの回転軸線方向、Ｙ方向が記録装置の奥行き方向及び用紙搬送方向、Ｚ方向が記録ヘッドと用紙との間の距離（ギャップ）の変化する方向すなわち装置高さ方向を示している。尚、各図において−Ｙ方向を装置前面側とし、＋Ｙ方向側を装置背面側とする。
【００２７】
■■■プリンターの概要■■■■■■■
図１を参照して、記録装置の一例としてのインクジェットプリンター１０（以下「プリンター１０」という）の構成要素について説明する。図１に示すようにプリンター１０は、装置本体１２と、ロールホルダ１４とを備えている。
【００２８】
装置本体１２の背面側つまり＋Ｙ軸方向側には、ロールホルダ１４が装置本体１２に対して着脱可能に取り付けられている。また、装置本体１２の装置前面側つまり−Ｙ軸方向側には、装置本体１２に対して開閉可能なカバー１６が設けられている。カバー１６を装置本体１２に対して開いた状態（図２参照）とすることにより、後述する記録部１８で記録が実行された媒体Ｐを装置前方側（−Ｙ軸方向側）に排出することができる。
【００２９】
また、装置本体１２の上部には、装置本体１２に対して回動可能なカバー１７が設けられており、カバー１７を装置本体１２に対して開いた状態とすると、後述する用紙供給部２０に普通紙等の用紙を供給可能となる。
【００３０】
■■■媒体搬送経路について■■■■■■■
次いで図２を参照してプリンター１０における媒体Ｐの搬送経路について説明する。尚、本実施例において媒体Ｐは、一例としてロールホルダ１４内に収容されたロールＰＲに巻かれたロール紙である。尚、図２において符号Ｐが付された破線は、「媒体」としてのロール紙を示している。尚、本明細書における媒体Ｐとは、ロール紙のみならず、普通紙等の用紙も含むものとする。
【００３１】
ロールホルダ１４には、ロール紙Ｐが巻かれた円筒状のロールＰＲがロールホルダ１４に対して回転可能に収容されている。また、装置本体１２の背面側には、用紙供給部２０が設けられている。用紙供給部２０は、媒体支持部材２２と、給送ローラー２４と、従動ローラー２６とを備えている。本実施例において媒体支持部材２２はホッパーとして構成されており、普通紙等の用紙を傾斜状態に支持することができる。また、媒体支持部材２２は揺動軸（不図示）を備え、給送ローラー２４に接近する方向、あるいは離間する方向に揺動可能に構成されている。
【００３２】
媒体支持部材２２を給送ローラー２４に接近する方向に揺動させると、当該媒体支持部材２２に支持された用紙が給送ローラー２４と接し、給送ローラー２４と従動ローラー２６とにニップされて搬送方向下流側に搬送される。従動ローラー２６は給送ローラー２４に対して従動回転する分離ローラーとして構成されている。尚、給送ローラー２４は図示しない駆動源により回転駆動させられる。
【００３３】
また、ロール紙Ｐを装置本体１２内に供給する場合は、ロール紙Ｐの先端を装置本体１２の背面１２ａ側の端部に設けられたロール紙供給口２８（図７も参照）から装置本体１２内に差し入れる。そしてロール紙Ｐは給送ローラー２４から送り力を受け、下流側に給送される。尚、以後の説明はロール紙Ｐの搬送を前提にして説明する。
【００３４】
給送ローラー２４の搬送方向下流側には、搬送部３０が設けられている。搬送部３０は搬送駆動ローラー３２と搬送従動ローラー３４とを備えている。搬送駆動ローラー３２は図示しない駆動源により回転させられる。搬送部３０は、用紙供給部２０から給送されたロール紙Ｐを搬送駆動ローラー３２と搬送従動ローラー３４との間でニップして搬送方向下流側に搬送する。搬送部３０の下流側には「記録手段」としての記録部３６が設けられている。
【００３５】
記録部３６は、キャリッジ３８と、該キャリッジの底部に設けられた記録ヘッド４０と、記録ヘッド４０に対向し、用紙Ｐを支持するプラテン４２とを備えている。記録ヘッド４０は、プラテン４２に支持されたロール紙Ｐと対向する。キャリッジ３８は、装置本体１２内部に設けられた制御部（不図示）により制御される駆動源（不図示）によって所定の方向である主走査方向（図２の紙面表裏方向すなわちＸ軸方向）に往復動する様に駆動される。
【００３６】
また、プラテン４２は、ロール紙Ｐを下方から支持することにより、ロール紙Ｐの記録面と記録ヘッド４０のヘッド面との間の距離（ギャップ）を規定する。また、記録ヘッド４０のロール紙Ｐと対向する面には、複数のノズル穴（不図示）が設けられ、当該ノズル穴からインクをロール紙Ｐの記録面に向けて吐出することによりロール紙Ｐに記録を実行する。
【００３７】
記録部３６の搬送方向下流側には、排出部４４が設けられている。排出部４４は、排出駆動ローラー４６を備えている。記録部３６で記録が実行されたロール紙Ｐは、排出駆動ローラー４６により装置前方に向けて排出される。尚、排出駆動ローラー４６は図示しない駆動源により回転させられる。以上がロール紙Ｐの搬送経路の概要である。尚、搬送部３０から排出部４４までロール紙Ｐの搬送を前提に説明したが普通紙等の用紙でも同様の記録動作及び搬送動作が行われる。
【００３８】
■■■ロールホルダの構成について■■■■■■■
図３ないし図６を参照して、ロールホルダ１４の構成について説明する。ロールホルダ１４は、ホルダ本体４８と、該ホルダ本体４８に対して開いた状態と閉じた状態とを取り得るホルダカバー５０と、ロール紙Ｐが巻かれたロールＰＲの両端部にそれぞれセットされる一対のロールガイド５２、５２とを備えている。尚、図３における−Ｙ軸方向側をロールホルダ１４の前面側とし、＋Ｙ軸方向側をロールホルダ１４の背面側とする。
【００３９】
ホルダ本体４８は図５に示すように、箱状に形成され、装置高さ方向における上向きに開口されている。ホルダ本体４８内にはロール紙Ｐが巻かれたロールＰＲが収容される。ホルダ本体４８には、装置幅方向（図３におけるＸ軸方向）の両端部に溝状の取付部４８ａ、４８ａが設けられている。取付部４８ａも上方に開口している。また、ホルダ本体４８の底部４８ｃには図６に示すように凸部４８ｂが設けられている。
【００４０】
すなわち、本実施例におけるロールホルダ１４の底部には凸部４８ｂが形成されている。  
したがって、ロールホルダ１４を装置本体１２から取り外して机やテーブル等の載置面に載置した際のロールホルダ１４の転がりを抑制し、該ロールホルダ１４の取り扱い性を向上させることができる。
【００４１】
ホルダカバー５０は、ホルダ本体４８の背面側に設けられた一対の回動軸５４、５４と係合し、回動軸５４、５４を回動支点としてホルダ本体４８に回動可能である。ホルダカバー５０は、装置本体１２にロールホルダ１４が装着され、装置本体１２のカバー１７が開いている状態（図２の二点鎖線参照）において、カバー１７と干渉することなくホルダ本体４８に対して回動可能である。
【００４２】
すなわち、装置本体１２にロールホルダ１４が装着された状態において、ロールホルダ１４は、ロール紙Ｐが巻きつけられたロールＰＲを交換可能に構成されている。尚、図２における符号Ｓ１が付された一点鎖線は装置本体１２にロールホルダ１４が装着された状態におけるホルダカバー５０先端の回動軌跡を示している。
【００４３】
また、ホルダカバー５０の上部には開口５０ａが設けられている。また、ホルダ本体４８の前面側には開口５６が設けられている。そして、ホルダカバー５０において回動軸５４と係合する側と反対側、つまり自由端側には掛止部５８が設けられている。
【００４４】
ホルダカバー５０がホルダ本体４８に対して閉じた状態（図３参照）において、掛止部５８は開口５６と係合する（図６参照）。これにより、ホルダカバー５０はホルダ本体４８に対して閉じた状態を維持する。ホルダ本体４８に対してホルダカバー５０を開く際には、ホルダカバー５０の前面側中央に設けられた凹所６０に指をかけてホルダカバー５０を持ち上げる、あるいはホルダカバー５０の前面側の両端部に設けられたリブ６２、６２に指をかけて持ち上げることにより、開口５６と掛止部５８との係合状態が解消される。
【００４５】
この際、後述する突起６６が開口７０と係合することによりロールホルダ１４全体が装置本体１２に対して持ち上がることを抑制する。これにより、ロールホルダ１４を持ち上げようとする力がホルダカバー５０に対して作用するので、開口５６と掛止部５８との係合状態を解消して、ホルダカバー５０をホルダ本体４８に対してロールホルダ１４の前面側から背面側に回動させることができる（図１及び図４参照）。
【００４６】
ロールガイド５２は、図５に示すようにロール保持部５２ａと、軸部５２ｂとを備えている。ロール保持部５２ａは円筒状のロールＰＲの端部に装着される。軸部５２ｂは、ホルダ本体４８の装置幅方向の両端部に設けられた溝状の取付部４８ａに上方から挿入される。そして、軸部５２ｂは、取付部４８ａに着脱可能に取り付けられる。すなわち、円筒状のロールＰＲの両端にそれぞれロールガイド５２のロール保持部５２ａを装着した状態で、ロールＰＲ及びロールガイド５２、５２のロール保持部５２ａ、５２ａをホルダ本体４８に収容すると、ロールＰＲの両端部の外側に位置する軸部５２ｂ、５２ｂがホルダ本体４８の取付部４８ａ、４８ａに回転可能に支持される。
【００４７】
これにより、ロールＰＲはロールガイド５２、５２を介してロールホルダ１４に回転可能に支持されるとともにロールホルダ１４内に収容される。そして、ロールＰＲに巻かれたロール紙Ｐは、ホルダ本体４８に対して閉じた状態のホルダカバー５０の開口５０ａから引き出されて、ロール紙供給口２８（図７参照）から装置本体１２内へ供給される。
【００４８】
■■■ロールホルダの装置本体への取付けについて■■■■■■■
再度図３及び図６を参照するに、ロールホルダ１４においてホルダ本体４８の前面側には、フック６４、６４と、突起６６とが設けられている。フック６４、６４はホルダ本体４８の装置幅方向（図３におけるＸ軸方向）の両端部の上部に形成されている。そして、フック６４、６４は、ホルダ本体４８の前面側から前方にそれぞれ突出している。また、突起６６は、ホルダ本体４８の装置幅方向の中央部の下部において装置前面側に突出している。
【００４９】
続いて、図７を参照するに、装置本体１２の背面１２ａには、ロール紙供給口２８を間に挟んで「係合部」としてのロールホルダ取付部６８が２箇所形成されている。ロールホルダ取付部６８は上側に向けて開口する凹部として構成されている。ロールホルダ取付部６８は、フック６４を差込み可能な大きさに形成されている。フック６４は、図９に示すようにロールホルダ１４が装置本体１２に装着される際、ロールホルダ取付部６８の上方から差し込まれて、当該ロールホルダ取付部６８と係合する。
【００５０】
また、図７に示すように装置本体１２の背面１２ａの下部には、開口７０が設けられている。開口７０は、装置本体１２の幅方向において２箇所のロールホルダ取付部６８が設けられた位置の間に形成されている。図１０及び図１１に示すように開口７０は、装置高さ方向において突起６６の大きさよりも大きく形成されている。つまり、突起６６は、開口７０に対して遊びをもって挿入可能である。
【００５１】
さらに、図１１に示すように、装置本体１２にロールホルダ１４が装着された状態、すなわち突起６６が開口７０に挿入されている状態において、開口７０の上縁７０ａと突起６６との間隔をＬ１とし、開口７０の下縁７０ｂと突起６６との間隔をＬ２とする。本実施例において開口７０の下縁７０ｂと突起６６との間隔Ｌ２は、開口７０の上縁７０ａと突起６６との間隔Ｌ１よりも小さく設定されている。尚、本実施例における間隔Ｌ２は、開口７０の下縁７０ｂと突起６６とが接触した状態、つまり間隔がゼロである状態も含んでいる。
【００５２】
ここで、再度、図７ないし図１０を参照して装置本体１２に対するロールホルダ１４の装着について説明する。装置本体１２に対してロールホルダ１４を装着する際、ロールホルダ１４を装置本体１２の背面１２ａに対して傾斜した状態、即ちフック６４を装置前面方向に傾けた状態で、フック６４をロールホルダ取付部６８に差し込む。
【００５３】
そして、フック６４を回動支点としてロールホルダ１４を装置前面側に回動させる。ここで、装置本体１２の開口７０は突起６６よりも大きく形成されているので、ロールホルダ１４を装置前面側に回動させた際、突起６６は開口７０に円滑に挿入され、突起６６は開口７０と係合する（図１０参照）。そして、ユーザーがロールホルダ１４から手を離すと、ロールホルダ１４は自重により装置本体１２に対して下方側に変位して、フック６４、６４がロールホルダ取付部６８、６８とそれぞれ係合する（図８及び図９参照）。すなわち、ロールホルダ１４は装置本体１２に対してフック６４及びロールホルダ取付部６８を介して自重で吊り下がった状態となる。
【００５４】
この際、開口７０の下縁７０ｂと突起６６との間隔Ｌ２は、開口７０の上縁７０ａと突起６６との間隔Ｌ１よりも小さくなる（図１１）。そして、ロールホルダ１４は装置本体１２に対してフック６４、６４及び突起６６の３点で支持された装着状態となる。
【００５５】
また、図９及び図１０に示すように、装置本体１２にロールホルダ１４を装着した状態において装置本体１２の底部１２ｂとロールホルダ１４の底部４８ｃとは装置高さ方向において距離Ｌ３分だけ離れている。すなわち、装置本体１２の底部１２ｂとロールホルダ１４の底部４８ｃとの間には、所定のクリアランスとしてクリアランスＬ３が形成される。
【００５６】
■■■ロールホルダの装置本体に対する装着状態の維持について■■■■■■■
次いで図１１ないし図１３を参照して、装置本体１２に装着されたロールホルダ１４の装着状態を維持する構成について説明する。  
例えば、ロールホルダ１４を装着された装置本体１２が机やテーブル等の作業領域の上面ＧＬ（以下、載置面という。）に置かれている場合において、図１２に示すようにユーザーが装置本体１２側を掴んで装置本体１２を当該装置本体１２の底部１２ｂの背面側端部を支点にロールホルダ１４側に回動させながら持ち上げると、ロールホルダ１４の凸部４８ｂが載置面ＧＬと接触する。
【００５７】
その際、ユーザーが装置本体１２をさらに持ち上げようとすると、ロールホルダ１４には図１２における反時計周り方向、つまりロールホルダ１４を装置本体１２の背面１２ａから離れる方向に回動させようとする力が作用する。
【００５８】
ここで、図１１及び図１３に示すようにロールホルダ１４が装置本体１２に装着された状態において開口７０の下縁７０ｂと突起６６との間隔Ｌ２は開口７０の上縁７０ａと突起６６との間隔Ｌ１よりも小さく設定されている。
【００５９】
そして、ロールホルダ１４がフック６４を支点にして装置本体１２の背面１２ａから離れる方向に回動させられると、突起６６がフック６４を回動中心とする当該突起６６の回動軌跡Ｓ２（図１１における二点鎖線参照）に沿って図１１における反時計周り方向に回動しようとする。その結果、突起６６は開口７０の下縁７０ｂと干渉することになるので、装置本体１２に対するロールホルダ１４の回動が妨げられ、装置本体１２に対するロールホルダ１４の装着状態が維持されることとなる。
【００６０】
また、プリンター１０は、装置本体１２の側面を下方にして装置本体１２を立てた状態で保管されることがある。装置本体１２を立てる際、装置本体１２に対してロールホルダ１４をフック６４、６４のみで支持していると、フック６４、６４がロールホルダ取付部６８、６８から脱落し、ロールホルダ１４が装置本体１２から脱落する虞がある。
【００６１】
しかしながら、本実施例では、フック６４、６４に加えて突起６６が開口７０に入り込むことにより装置本体１２に対してロールホルダ１４が回動することを規制している。これにより、装置本体１２を立てる際、フック６４、６４がロールホルダ取付部６８、６８から脱落することを規制し、装置本体１２にロールホルダ１４が装着された状態を維持することができる。
【００６２】
また、本実施例におけるプリンター１０は、モバイルプリンターとして様々な場所に持ち運ばれることが想定される。本実施例ではロールホルダ１４が装置本体１２から離間する方向に回動しようとすると、突起６６と開口７０の下縁７０ｂとが干渉して装置本体１２に対するロールホルダ１４の装着状態を維持するので、ユーザーがプリンター１０を持ち運ぶ際、プリンター１０に加わる振動等により不用意にロールホルダ１４が装置本体１２から脱落して落下する虞を低減することができる。
【００６３】
尚、ユーザーがロールホルダ１４を装置本体１２から取り外す際は、ロールホルダ１４を装置本体１２に対して持ち上げると、開口７０の下縁７０ｂと突起６６との間隔Ｌ２は、開口７０の上縁７０ａと突起６６との間隔Ｌ１よりも大きくなる。その結果、開口７０の下縁７０ｂと突起６６の回動軌跡Ｓ２とが干渉しなくなるので、装置本体１２に対してロールホルダ１４を回動させることができ、容易に突起６６を開口７０から抜き出すことができる。そして、フック６４をロールホルダ取付部６８から引き抜くことにより、ロールホルダ１４を装置本体１２から取り外すことができる。
【００６４】
あるいは、装置高さ方向におけるフック６４のロールホルダ取付部６８への差込距離が間隔Ｌ１より小さい場合、ロールホルダ１４を装置本体１２に対して持ち上げて、そのまま装置背面側方向に引き抜くことによりロールホルダ１４を装置本体１２から取り外すこともできる。
【００６５】
上記説明をまとめると、本実施例におけるプリンター１０は、ロール紙Ｐに記録を行う記録部３６を備えた装置本体１２と、ロール紙Ｐがロール状に巻かれたロールＰＲを回転可能に支持する、装置本体１２に対して着脱可能なロールホルダ１４と、を備えている。そして、ロールホルダ１４には、装置本体１２のロールホルダ取付部６８に係合するフック６４と、フック６４に対し離間して位置し、装置本体１２の背面１２ａに形成された開口７０に対し遊びをもって挿入される突起６６とが設けられている。ロールホルダ取付部６８を支点にしてロールホルダ１４が装置本体１２の背面１２ａから離れる方向に回動する際、突起６６が開口７０の内側と係合する。
【００６６】
したがって、突起６６が開口７０から容易に抜けることがなく、ロールホルダ１４の装着状態が維持される。即ちフック６４を支点にしてロールホルダ１４が装置本体１２の背面１２ａから離れる方向に回動する際の、突起６６の回動軌跡Ｓ２が開口７０の下縁７０ｂと干渉することを利用して、ロールホルダ１４の装置本体１２に対する装着状態を維持する。
【００６７】
また、突起６６は開口７０に対し遊びをもって挿入されるので、ロールホルダ１４を装置本体１２に装着する際には、容易に装着することができる。以上によりロールホルダ１４の着脱容易性と、ロールホルダ１４の装置本体１２に対する装着状態の維持と、の双方に考慮することができる。
【００６８】
本実施例においてロールホルダ１４を装置本体１２に取り付けた状態における開口７０の下縁７０ｂと突起６６との間隔Ｌ２は、開口７０の上縁７０ａと突起６６との間隔Ｌ１より小さい。  
したがって、フック６４を支点にしてロールホルダ１４が装置本体１２の背面１２ａから離れる方向に回動する際、突起６６が開口７０の下縁７０ｂに迅速に接することができ、ロールホルダ１４の装置本体１２に対する装着状態がより確実に維持される。
【００６９】
本実施例において、フック６４、６４をロールホルダ取付部６８、６８に対しずらすことにより、開口７０の下縁７０ｂと突起６６との間隔Ｌ２が、開口７０の上縁７０ａと突起６６との間隔Ｌ１より大きくなる。  
従ってロールホルダ１４を、ロールホルダ取付部６８、６８を支点に回動させて取り外す際に、突起６６が開口７０の下縁７０ｂに引っ掛からず、容易にロールホルダ１４を装置本体１２から取り外すことができる。
【００７０】
また、本実施例においてフック６４はロールホルダ１４においてロールＰＲの回転軸線方向（Ｘ軸方向）に所定の間隔を空けて少なくとも２つ設けられている。突起６６は、回転軸線方向において２つのフック６４の間に配置されている。  
その結果、ロールホルダ１４を装置本体１２に取り付けた際の安定性が向上する。
【００７１】
本実施例におけるロールホルダ１４は、フック６４、６４を介しロールホルダ取付部６８、６８に自重で吊り下がるように構成されている。  
したがって、ロールホルダ１４を装置本体１２に対して構造簡単にして取り付けることができ、また、容易に取り外すことができる。
【００７２】
また、本実施例においてロールホルダ１４を装置本体１２に取り付けた状態において、装置本体１２の載置面ＧＬとロールホルダ１４のホルダ本体４８の底部４８ｃとの間に所定のクリアランスＬ３が形成されている。  
その結果、装置本体１２をロールホルダ１４側に傾けた際に、クリアランスＬ３によってロールホルダ１４が載置面ＧＬに即座に接することがなく、ロールホルダ１４の装着状態を良好に維持できる。
【００７３】
＜＜＜実施例の変更例＞＞＞
（１）本実施例において、突起６６の先端は装置高さ方向において垂直な面としたが、この構成に代えて、図１４に示すように突起７２の先端に斜面７２ａを設ける構成としてもよい。このように構成することにより、突起７２の先端は斜面状すなわち斜面７２ａが形成されているので、斜面７２ａは開口７０に対して突起７２を案内し、突起６６を開口７０に挿入する際の引っ掛かりを抑制して作業性良好にロールホルダ１４を装置本体１２に取り付けることができる。
【００７４】
（２）本実施例において、フック６４、６４はロールホルダ１４のホルダ本体４８の装置幅方向（図３におけるＸ軸方向）の両端部の上部に形成される構成としたが、この構成に代えて、例えば、ホルダ本体４８の装置幅方向（図３におけるＸ軸方向）におけるいずれか一方の端部（＋Ｘ軸方向側あるいは−Ｘ軸方向側）において装置高さ方向に間隔をおいてフック６４、６４を設ける構成としてもよい。
【００７５】
この場合、装置本体１２側には、高さ方向に間隔を置いて設けられるフック６４、６４と対応する位置に、ロールホルダ取付部６８、６８を設ける。尚、この構成ではロールホルダ１４を自重で吊り下げて取り付けることができない為、フック６４、６４とロールホルダ取付部６８、６８とが係合する方向にロールホルダ１４を付勢する（ロールホルダ１４を横方向に付勢する）付勢手段を設け、この付勢手段によってフック６４、６４とロールホルダ取付部６８、６８との係合を維持するように構成することができる。
【００７６】
また、本実施形態では本発明に係る突起６６、７２及び開口７０を記録装置の一例としてのインクジェットプリンターに適用したが、その他液体噴射装置一般に適用することも可能である。  
ここで、液体噴射装置とは、インクジェット式記録ヘッドが用いられ、該記録ヘッドからインクを吐出して被記録媒体に記録を行うプリンター、複写機及びファクシミリ等の記録装置に限らず、インクに代えてその用途に対応する液体を前記インクジェット式記録ヘッドに相当する液体噴射ヘッドから被記録媒体に相当する被噴射媒体に噴射して、前記液体を前記被噴射媒体に付着させる装置を含むものである。
【００７７】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【００７８】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００７９】
１０  プリンター、１２  装置本体、１２ａ  背面、１２ｂ  底部、
１４  ロールホルダ、１６、１７  カバー、１８  記録部、２０  用紙供給部、
２２  媒体支持部材、２４  給送ローラー、２６  従動ローラー、２８  ロール紙供給口、
３０  搬送部、３２  搬送駆動ローラー、３４  搬送従動ローラー、３６  記録部、
３８  キャリッジ、４０  記録ヘッド、４２  プラテン、４４  排出部、
４６  排出駆動ローラー、４８  ホルダ本体、４８ａ  取付部、４８ｂ  凸部、
４８ｃ  底部、５０  ホルダカバー、５０ａ、５６、７０  開口、５２  ロールガイド、
５２ａ  ロール保持部、５２ｂ  軸部、５４  回動軸、５８  掛止部、６０  凹所、
６２  リブ、６４  フック、６６  突起、６８  ロールホルダ取付部、７０ａ  上縁、
７０ｂ  下縁、７２  突起、７２ａ  斜面、ＧＬ  載置面、Ｌ１、Ｌ２  間隔、
Ｌ３  クリアランス、Ｐ  ロール紙、ＰＲ  ロール、Ｓ１、Ｓ２  回動軌跡
【図１】
2015199279.tif 000003
【図２】
2015199279.tif 000004
【図３】
2015199279.tif 000005
【図４】
2015199279.tif 000006
【図５】
2015199279.tif 000007
【図６】
2015199279.tif 000008
【図７】
2015199279.tif 000009
【図８】
2015199279.tif 000010
【図９】
2015199279.tif 000011
【図１０】
2015199279.tif 000012
【図１１】
2015199279.tif 000013
【図１２】
2015199279.tif 000014
【図１３】
2015199279.tif 000015
【図１４】
2015199279.tif 000016